(57)【要約】画面上でポインタに長い距離を一度に移動させることを可能にした情報処理装置を提供する。  複数のキーを備えた操作手段と、画面上の位置を示すためのポインタを表示する表示手段と、表示部の画面の少なくとも一部を複数のキーに対応して複数の領域に区分けし、ポインタを移動させるために複数のキーのうちいずれかのキーが選択されると、選択されたキーに対応する領域にポインタを移動させ、ポインタを目立たせる表示を表示手段に実行させる制御手段と、を有する。
2009081994.tif 000002
【特許請求の範囲】
【請求項１】
複数のキーを備えた操作手段と、
画面上の位置を示すためのポインタを表示する表示手段と、
前記表示手段の画面の少なくとも一部を前記複数のキーに対応して複数の領域に区分けし、前記ポインタを移動させるために前記複数のキーのうちいずれかのキーが選択されると、選択されたキーに対応する領域に該ポインタを移動させ、前記ポインタを目立たせる表示を前記表示手段に実行させる制御手段と、
を有する情報処理装置。
【請求項２】
前記ポインタを目立たせる表示は、前記ポインタの移動先の領域の明るさを他の領域と異なるようにすること、該領域の枠を点滅させること、ならびに該ポインタの点滅および色の変更のうちいずれか、または、これらのうちの２つ以上の組み合わせである請求項１記載の情報処理装置。
【請求項３】
前記ポインタを目立たせる表示は、前記ポインタのサイズを所定の時間だけ拡大させるものである請求項１または２記載の情報処理装置。
【請求項４】
前記制御手段は、選択されたキーに対応する領域に前記ポインタを移動させた後、該領域の少なくとも一部を前記複数のキーに対応して複数の部位に区分けし、前記複数のキーのうちいずれかのキーが選択されると、選択されたキーに対応する部位に前記ポインタを移動させる、請求項１から３のいずれか１項に記載の情報処理装置。
【請求項５】
複数のキーを備えた操作手段と、
画面上の位置を示すポインタを表示する表示手段と、
前記表示手段の画面の少なくとも一部を前記複数のキーに対応して複数の領域に区分けし、前記ポインタを移動させるために前記複数のキーのうちいずれかのキーが選択されると、選択されたキーに対応する領域に該ポインタの位置を移動させ、該領域の少なくとも一部を前記複数のキーに対応して複数の部位に区分けし、前記複数のキーのうちいずれかのキーが選択されると、選択されたキーに対応する部位に前記ポインタを移動させる制御手段と、
を有する情報処理装置。
【請求項６】
前記操作手段はポインタ移動キーをさらに備え、前記制御手段は、前記ポインタ移動キーが選択されると、前記ポインタによる前記領域間の移動距離よりも短い距離で前記ポインタを移動させる、請求項１から５のいずれか１項に記載の情報処理装置。
【請求項７】
前記制御手段は、前記表示手段の画面の全部を前記複数の領域に区分けする請求項１から６のいずれか１項に記載の情報処理装置。
【請求項８】
複数のキーを備えた操作手段と画面上の位置を示すためのポインタを表示する表示手段とを有する情報処理装置による情報処理方法であって、
前記ポインタを移動させるために前記複数のキーのうちいずれかのキーが選択されると、
前記表示手段の画面の選択されたキーに対応する領域に該ポインタを移動させ、
前記ポインタを目立たせる表示を前記表示手段に実行させる、情報処理方法。
【請求項９】
前記ポインタを目立たせる表示は、前記ポインタの移動先の領域の明るさを他の領域と異なるようにすること、該領域の枠を点滅させること、ならびに該ポインタの点滅および色の変更のうちいずれか、または、これらのうちの２つ以上の組み合わせである請求項８記載の情報処理方法。
【請求項１０】
前記ポインタを目立たせる表示は、前記ポインタのサイズを所定の時間だけ拡大させるものである請求項８または９記載の情報処理方法。
【請求項１１】
複数のキーを備えた操作手段と画面上の位置を示すポインタを表示する表示手段とを有する情報処理装置による情報処理方法であって、
前記ポインタを移動させるために前記複数のキーのうちいずれかのキーが選択されると、
前記表示手段の画面の選択されたキーに対応する領域に該ポインタの位置を移動させ、
前記領域の少なくとも一部を前記複数のキーに対応して複数の部位に区分けし、
前記複数のキーのうちいずれかのキーが選択されると、選択されたキーに対応する部位に前記ポインタを移動させる、情報処理方法。
【発明の詳細な説明】
【技術分野】
【０００１】
本発明は、ポインタを表示する情報処理装置および情報処理方法に関する。
【背景技術】
【０００２】
携帯電話機の操作部やパーソナルコンピュータ（以下、ＰＣと称する）のキーボードは、ディスプレイの画面上で位置を示すためのポインタを移動するためのキーを有することがある。ユーザは、例えばポインタの移動方向を示す矢印キーからなるこれらのキーを押すことにより、所定の間隔でポインタをその方向に移動することができる。【０００３】
ポインタの移動に関する技術が特許文献１に開示されている。この文献に開示された技術は、ユーザが、画面上のポインタをいずれの方向に移動するかを決め、特定のキーを中心にして相対的にポインタを移動したい方向にある隣のキーを押し、ポインタをその方向に移動するというものである。これにより、マウスがなくても、ユーザは希望する方向にポインタを移動することができる。【０００４】
特許文献２には、キー入力による座標入力方法が開示されている。この文献には、特許文献１に開示された技術を可能とするために、文字入力機能をポインタ移動のための機能に切り替えるための方法が開示されている。【０００５】
特許文献３には、細分化された画面の領域に対応するキーを押すことにより、ポインタを指定位置へ早急に移動する技術が開示されている。【０００６】
【特許文献１】特開平８−６６９３号公報
【０００７】
【特許文献２】特開平１１−１５４０５４号公報
【０００８】
【特許文献３】特開２００２−１４９３１１号公報
【発明の開示】
【発明が解決しようとする課題】
【０００９】
上述のようにして矢印キーを押してポインタを移動しようとすると、長い距離を移動する場合には矢印キーを何度も押す必要がある。このため、ポインタの移動距離に応じてユーザの操作量が多くなってしまうという問題がある。【００１０】
特許文献１に開示された技術では、ポインタに一度に長い距離を移動させようとすると、キーを１回押すだけでポインタをどのくらい移動させるかを決めている移動データを長い距離に予め設定しておかなければならず、操作が煩雑である。【００１１】
特許文献３に開示された技術では、ポインタが長い距離を非連続に移動するため、ユーザがポインタを見失いやすい。【００１２】
本発明は、上述したような技術が有する問題点を解決する情報処理装置および情報処理方法を提供することを目的とする。
【課題を解決するための手段】
【００１３】
上記目的を達成するための本発明の情報処理装置は、
複数のキーを備えた操作手段と、
画面上の位置を示すためのポインタを表示する表示手段と、
表示部の画面の少なくとも一部を複数のキーに対応して複数の領域に区分けし、ポインタを移動させるために複数のキーのうちいずれかのキーが選択されると、選択されたキーに対応する領域に該ポインタを移動させ、ポインタを目立たせる表示を表示手段に実行させる制御手段と、
を有する構成である。【００１４】
また、上記目的を達成するための本発明の情報処理方法は、複数のキーを備えた操作手段と画面上の位置を示すためのポインタを表示する表示手段とを有する情報処理装置による情報処理方法であって、
ポインタを移動させるために複数のキーのうちいずれかのキーが選択されると、
前記表示手段の画面の選択されたキーに対応する領域に該ポインタを移動させ、
ポインタを目立たせる表示を表示手段に実行させるものである。
【発明の効果】
【００１５】
本発明の情報処理装置および情報処理方法は、少ない操作回数で、画面上で長い距離をポインタに移動させることができる。また、本発明の情報処理装置および情報処理方法は、ユーザが移動後のポインタを発見しやすいという効果を有する。
【図面の簡単な説明】
【００１６】
【図１】第１の実施形態の携帯電話機の外観を示す図である。
【図２】第１の実施形態の携帯電話機の一構成例を示すブロック図である。
【図３Ａ】ディスプレイ部に表示されるウェブページの例を示す図である。
【図３Ｂ】ディスプレイ部に表示されるウェブページの例を示す図である。
【図４Ａ】第１の実施形態の携帯電話機の動作を説明するための図である。
【図４Ｂ】第１の実施形態の携帯電話機の動作を説明するための図である。
【図５】第１の実施形態の携帯電話機の動作手順を示すフローチャートである。
【図６】第２の実施形態の携帯電話機の動作を説明するための図である。
【図７】第３の実施形態における情報処理装置のキーボードのキーに対応して表示画面を区分けした場合の一例を示す図である。
【図８】第１の実施形態の携帯電話機の主要な機能構成を示すブロック図である。
【符号の説明】
【００１７】
１１  ディスプレイ部
１４  制御部
【発明を実施するための最良の形態】
【００１８】
本発明の情報処理装置の実施形態を説明する。【００１９】
（第１の実施形態）
本実施形態では、情報処理装置が携帯電話機である場合を説明する。本実施形態の携帯電話機は、無線通信による通話機能の他に、無線通信によりインターネットなどのネットワークを介して、サーバに格納されたウェブページとアクセスするためのウェブページアクセス機能を備えているものとする。ウェブページとは、ネットワークに接続されたサーバにより提供される、閲覧を目的としたコンテンツのことである。通話機能およびウェブページアクセス機能は通常の携帯端末と同様であるため、ここでは、詳細な説明を省略する。【００２０】
本実施形態の携帯電話機の概要構成を説明する。図８は本実施形態の携帯電話機の主要な機能構成を示すブロック図である。【００２１】
図８に示すように、本実施形態の携帯電話機１０は、主要な構成要素として、ディスプレイ部１１と、制御部１４と、操作部１８を有している。ディスプレイ部１１は表示部と呼ばれることもある。【００２２】
ディスプレイ部１１はその画面にポインタを表示する。また、ディスプレイ部１１の画面は複数の領域に区分けされている。操作部１８は複数のキーを有しており、それらはディスプレイ部１１の画面の複数の領域に対応付けられている。【００２３】
領域に対応付けられたいずれかのキーが押されて選択されると、制御部１８は、選択されたキーに対応する領域にポインタを移動させる。そして、ポインタを目立たせるような表示を行う。【００２４】
このことにより、本実施形態の携帯電話機は、領域に対応付けられたキーを押すだけで、ポインタをその領域へ移動することが出来る。また、移動後にポインタを目立たせるような表示が行われるので、ユーザはポインタを発見しやすく、これを見失うことが少ない。【００２５】
次に、本実施形態の携帯電話機の詳細な構成を説明する。図１は本実施形態の携帯電話機の外観を示す図である。【００２６】
図１に示すように、本実施形態の携帯電話機１０は、情報を表示するディスプレイ部１１と、ユーザが指示を入力するための操作部１８を有している。操作部１８は、通話の際の操作のための基本キー部１３と、ディスプレイ部１１に表示される複数の項目から１つを選択する操作のための拡張キー部１２とを有する。【００２７】
拡張キー部１２は、ディスプレイ部１１に表示されるポインタを画面上で移動させるための方向キー１２１と、ディスプレイ部１１の画面でポインタが指定する項目を選択するための決定キー１２２とを有する。【００２８】
方向キー１２１は、上下左右のそれぞれの方向を示す矢印が印字された円形のボタンである。方向キー１２１は、ポインタ移動キーやカーソルキーと呼ばれることもある。方向キー１２１の裏には、各矢印の印字位置に対応してセンサ（不図示）が設けられている。ユーザが上下左右の矢印のうちいずれかの矢印を押すと、押された矢印の示す方向にポインタがディスプレイ部１１の画面で所定の距離だけ移動する。このように、ユーザは方向キー１２１を押すことで、ディスプレイ部１１の画面に表示されるポインタを上下左右のどの方向にも移動することが可能である。なお、本実施形態では、方向キー１２１を円形の板状のもので構成しているが、スティック状のものであってもよい。【００２９】
決定キー１２２は、方向キー１２１の中央に設けられている。このキーを押すことで、ユーザはディスプレイ部１１の画面に表示されるポインタが指し示す項目を選択することが可能となる。【００３０】
基本キー部１３は、通話の際に用いるキーを含む発着信キー部１３１と、０〜９までの数字キー１３２と、「＊」および「＃」を含む記号キー１３３とを有する。【００３１】
発着信キー部１３１は３つのキーで構成されている。３つのキーとは、電話の発信または着信の際にユーザにより押されるオンキーと、電話を切る際にユーザにより押されるオフキーと、動作させている機能を取り消すための取り消しキー（ＣＬＲ）である。【００３２】
数字キー１３２および記号キー１３３は、双方合わせて１２個の数字または記号のキーで構成され、横３列×縦４列に配置されている。数字キー１３２および記号キー１３３は、文字を入力するため以外に、本実施形態では、ユーザがポインタを画面上で高速に移動する機能を発揮するために使用される。本実施形態における、これらのキー操作の詳細は後述する。【００３３】
なお、図１では、数字キー部１３２および記号キー１３３にそれぞれ数字と記号が記載されているが、入力変換操作により英文字、ひらがな、およびカタカナなどの他の文字を入力することが可能である。この入力変換操作および文字入力機能については、一般的な携帯電話機と同様であるため、詳細な説明を省略する。【００３４】
ユーザが拡張キー部１２および基本キー部１３を操作することで、ディスプレイ部１１は、ネットワークのサーバに格納された各種コンテンツや携帯電話機の操作に関する情報などを表示する。ディスプレイ部１１が表示するコンテンツや情報に対して、ユーザは、さらに拡張キー部１２および基本キー部１３を操作して指示を入力する。【００３５】
なお、本実施形態では、ディスプレイ部１１は液晶ディスプレイであるとする。また、スピーカおよびマイクを図１に示すことを省略している。【００３６】
図２は本実施形態の携帯電話機の一構成例を示すブロック図である。【００３７】
図２に示すように、携帯電話機１０は、ディスプレイ部１１と、ディスプレイ部１１の画像を描画する画面描画部１７と、電話番号およびメールアドレスを含む電話帳の情報を保存するメモリ部１６と、各部を制御する制御部１４と、制御部１４および図１に示した操作部１８の間に設けられたＵＩ（Ｕｓｅｒ  Ｉｎｔｅｒｆａｃｅ）処理部１５と、を有する構成である。【００３８】
メモリ部１６は、電話帳の他、各種アプリケーションプログラムを格納する。【００３９】
ＵＩ処理部１５は、操作部１８を介して入力される信号を制御部１４に送信するインタフェースである。【００４０】
画面描画部１７は、液晶ディスプレイを駆動させるためのドライバ回路を含み、制御部１４から受信する画像情報にしたがってディスプレイ部１１を制御する。【００４１】
制御部１４は、プログラムにしたがって処理を実行するＣＰＵ（Ｃｅｎｔｒａｌ  Ｐｒｏｃｅｓｓｉｎｇ  Ｕｎｉｔ）１４１と、プログラムを格納するためのプログラムメモリ１４２とを有する。制御部１４は、外部から受信する情報または操作部１８を介して入力される情報にしたがって、必要な処理内容をメモリ部１６から読み出す。処理内容が表示に関するものであれば、制御部１４は、表示すべき画像情報を画面描画部１７に送信する。プログラムには、この処理を実行するための内容が記述されているだけでなく、後述するポインタ移動に関する動作についての処理内容が記述されている。以下では、ウェブページを受信した場合における制御部１４の動作を説明する。【００４２】
制御部１４は、ネットワークを介してウェブページの画像情報を受信すると、その画像情報を画面描画部１７に送信する。ディスプレイ部１１に画像が表示されると、制御部１４は、画像が表示された画面の少なくとも一部を複数の領域に区分けする。これらの区分けされた領域はポインタの移動先となり得るところである。制御部１４は、これらの領域のそれぞれを数字キー１３２および記号キー１３３からなる文字入力キーのそれぞれのキーに一対一に割り当てる。【００４３】
そして、制御部１４は、画面における領域の座標と領域に対応させたキーの情報をメモリ部１６に記憶する。領域の座標は、その領域が四角形であれば、その４つの頂点の座標で表されてもよい。さらに、制御部１４は、複数の領域のうち任意の領域にポインタを表示させる。ただし、数字キー１３２および記号キー１３３は全部で１２個あるが、区分けされた領域の数が１２個より少なければ、領域に割り当てられないキーがあってもよい。つまり、領域に割り当てられるキーが１２個より少ない８個や４個であってもよい。【００４４】
ユーザが、ポインタを画面上で高速に移動させるために、数字キー１３２および記号キー１３３のうち、ポインタの移動先の領域に対応するキーを押すと、制御部１４は、キーが選択されたことを認識する。続いて、選択されたキーに対応する領域の座標をメモリ部１６から読み出し、その領域にポインタを移動し、ポインタを目立たせる表示を画面描画部１７を介してディスプレイ部１１に実行させる。【００４５】
ポインタを目立たせる表示の例として、ポインタの移動先の領域の明るさを他の領域と異なる明るさにすることや、移動先の領域の枠を点滅させることがある。また、他の例として、ポインタの点滅、色の変更、およびサイズの拡大がある。また、これらの表示方法のうちの２つ以上を組み合わせてもよい。ただし、ポインタのサイズを拡大する場合、ポインタのサイズを拡大したままだと、ポインタに覆われた部分がユーザには見えないので、予め設定した時間だけ拡大した後、元のサイズに戻すようにしてもよい。サイズの拡大以外の場合についても、動作させる時間を予め設定してもよい。【００４６】
ポインタを領域間で移動した際、移動先の領域のどの位置にポインタを表示するかは予め設定されていてもよい。本実施形態では、移動先の領域の中央にポインタを表示する。【００４７】
なお、数字キー１３２および記号キー１３３を使用したキー操作において、ユーザは、ポインタの移動ではなく文字入力を行う場合がある。このような場合、キーを所定時間内に続けて押す「２度押し」やキーを所定時間以上押し続ける「長押し」をすると、入力モードが文字入力に切り替わるようにしてもよい。または、その他の操作を行うことにより切り替わるようにしてもよい。あるいは、携帯電話機１０が入力モード切り替えボタンを別途備えてもよい。【００４８】
次に、ウェブページに設定されたハイパーリンクの動作を簡単に説明する。【００４９】
図３Ａおよび図３Ｂはディスプレイ部に表示されるウェブページの例を示す図である。図３Ｂは図３Ａに示すページに設定されたハイパーリンクが動作したときのリンク先のページを示す。【００５０】
図３Ａは、ある企業とその企業の製品を紹介するためのウェブページ２１を示す画面である。画面左側には、アクセス可能な情報の項目が表示されている。図３Ａでは、画面左側の項目「１．ニュース」が選択されているため、この項目についての情報が画面右側に表示されている。画面右側には、複数のニュースのそれぞれについて、ウェブページに掲載した日付と表題が対になって表示されている。画面右側の下端に表示されているポインタ２３は、ウェブページ用のカーソルの役目を果たす。【００５１】
画面左側の項目と画面右側の表題には、それぞれについての内容を示すページにアクセスするためのハイパーリンクが設定されている。画面左側の下端に示す「■戻る」の項目には、この画面の前に表示されていたページに戻るためのリンクが設定されている。【００５２】
ユーザが操作部１８を操作して図３Ａの画面左側の項目「３．サポート」までポインタ２３を移動させて、その項目を選択する旨の信号を入力するためにポインタ２３をその項目の欄に重ねて図１に示した決定キー１２２を押す。この選択操作により、ハイパーリンク２２が動作し、図３Ｂに示すウェブページ２４がディスプレイ部１１の画面に表示される。【００５３】
図３Ｂの画面右側には、製品のサポートに関する表題が表示されている。この表題のそれぞれにもハイパーリンクが設定されている。上述した選択操作と同様にして、画面左側の項目「１．ニュース」のハイパーリンク２５を動作させると、図３Ａに示したページが画面に表示される。【００５４】
ポインタを画面上で移動させる際、通常、ユーザは図１に示した方向キー１２１を押してポインタを移動させる。方向キー１２１を１回押すことによるポインタの移動距離は、予め決められている。１回の移動距離は、画面に表示される文字の大きさにもよるが、約１文字の大きさ以下である。これは、間隔画面の隅々にまでポインタを移動することを可能にするためである。図３Ａに示す位置にあるポインタ２３を項目「３．サポート」の位置まで移動させようとすると、ユーザは上方向と左方向の方向キー１２１を何度も押す必要がある。【００５５】
本実施形態の携帯電話機１０は、通常とは異なる方法でポインタを移動させることが可能である。以下に、本実施形態の携帯電話機１０の動作を説明する。【００５６】
図４Ａおよび図４Ｂは本実施形態の携帯電話機１０の動作を説明するための図である。図４Ａはディスプレイ部１１の画面を複数の領域１００に区分けした場合を示す。各領域１００は、対応するキーの文字を示している。実際には、領域１００の大きさを示す枠とキーの文字はディスプレイ部１１には表示されないが、図４Ａでは、説明のためにこれらを書き込んでいる。図４Ｂは、図３Ａに示したウェブページ２１を図４Ａに当てはめた場合を示す。【００５７】
図５は本実施形態の携帯電話機の動作手順を示すフローチャートである。【００５８】
制御部１４は、ウェブページの画像情報を外部から受信すると、ウェブページの画像を画面描画部１７を介してディスプレイ部１１に表示する。続いて、制御部１４は、ディスプレイ部１１の表示画面を、数字キー１３２および記号キー１３３からなる文字入力キーのそれぞれのキーに対応して複数の領域に区分けし（ステップ１００１）、領域とキーの対応を示す対応情報をメモリ部１６に格納する。また、制御部１４は、図４Ｂに示すように、ポインタ２３を画面右下に表示する。図４Ｂでは、制御部１４は、記号「＃」のキーに対応する領域にポインタ２３を表示している。【００５９】
ユーザが図４Ｂに示す画面を見て、ポインタ２３を項目「４．サービス」の位置に移動させようとし、数字キー１３２の数字「４」のキーを押すと、制御部１４は、数字「４」のキーが選択されたことを認識する。続いて、制御部１４は、メモリ部１６に格納された対応情報を参照し、数字「４」のキーに対応する領域を特定する。そして、制御部１４は、特定した領域の中央の座標にポインタを移動する。すなわち、ポインタ２３’を画面描画部１７に表示する（ステップ１００２）。さらに、制御部１４は、図４Ｂの破線で示す、数字「４」のキーに対応する領域１００の枠を画面描画部１７に点滅表示させる（ステップ１００３）。【００６０】
ステップ１００２の動作により、図４Ｂに示すポインタ２３が、記号「＃」のキーに対応する領域１００から数字「４」のキーに対応する領域１００の中央のポインタ２３’の位置に瞬時に移動する。領域間のポインタの移動距離は、最短でも方向キー１２１が１回押された場合よりも５〜８倍ぐらい長い。図４Ｂでは、領域１００の対角線に沿って領域２つ分をポインタが移動することから、ポインタが斜めに領域間を２つ分移動したことになる。そのため、この場合の１回のキー操作では、方向キー１２１の１回の操作よりも、５〜８×２×√２＝１４〜２２倍の距離をポインタが移動している。すなわち、１回のキー操作を行うだけで通常よりも１０倍以上の長い距離をポインタが移動する。【００６１】
このように、ポインタが長い距離を一度に移動しても、移動先の領域１００の枠が点滅する。ユーザは、点滅する枠の中でポインタを探せばよいので、ポインタ２３’の位置をすぐに確認することが可能となる。【００６２】
図４Ｂに示す場合では、ポインタ２３’が項目「３．サポート」寄りの位置に表示されているため、ユーザは、ポインタ２３’を項目「４．サービス」の位置に移動する必要がある。項目「３．サポート」と項目「４．サービス」の間の距離は２文字分ぐらいしかないので、ユーザは方向キー１２１の下方向キーを数回押し、ポインタ２３’を項目「４．サービス」の位置に移動させた後、ハイパーリンク３１を動作させればよい。【００６３】
本実施形態の携帯電話機は、画面を複数の領域に区分けし、各領域に対応してキーを割り当てている。画面上で長い距離をポインタに移動させる際、ユーザがキーを１回押すと、押されたキーに対応する領域にポインタが移動するので、ユーザはポインタに長い距離を一度に移動させることが可能となる。これによりユーザは、ポインタを素早く正確に移動することができる。また、ユーザは、方向キーを使用したポインタ移動のための操作量を大きく減らすことができる。【００６４】
また、本実施形態の携帯電話機は、ポインタを移動した後、ポインタを目立たせる表示を行う。このため、希望通りの領域に移動したかどうかをユーザはすぐに確認できる。仮にユーザが希望する領域とは異なる領域に移動しても、ポインタが点滅したり、領域の枠が点滅したりすることで、ユーザはポインタをすぐに見つけることが可能となる。【００６５】
文字入力キーの全体を画面全体に割り当てれば、ユーザは、各キーに対応する領域を視覚的に認識しやすくなり、ポインタの移動先として希望する領域がどのキーに対応しているかを容易に判別できる。【００６６】
方向キー１２１を使用したポインタ移動のみを行う携帯電話機は、方向キー１２１のキー入力に対するポインタ移動距離をより短くして方向キー１２１の感度を下げれば、ポインタに短い距離を移動させる場合には、移動距離の正確性が向上する。しかし、ポインタに長い距離を移動させる場合、距離に応じて方向キー１２１を押す回数が増え、感度を変更する前よりも操作回数が増えてしまう。これに対して、本実施形態の携帯電話機は、ポインタに長い距離を移動させる場合には文字入力キーを操作し、ポインタに短い距離を移動させる場合には通常の方向キー１２１を操作すればよいので、方向キー１２１の感度を上げても、ユーザの操作性の低下を最小限に留めることが可能となる。【００６７】
特に、一般的な携帯電話機は、画面が小さいためポインタが見にくく、本体が小さいため操作がしにくい。また、そのデバイスの特性から、ユーザは立ったままの状態で、片手で携帯電話機を保持して親指だけでキーを操作することが多い。そのため、通常の方法だけで、素早くかつ正確にポインタを移動させることは困難であったが、本実施形態の携帯電話機は、ポインタを目標の座標に素早く移動させることが可能である。【００６８】
（第２の実施形態）
本実施形態の情報処理装置は、ポインタの移動先の領域をさらに複数の部位に区分けしたものである。このことにより、ポインタの細かい距離の移動が容易に操作可能になる。【００６９】
なお、本実施形態の情報処理装置は、第１の実施形態で説明した携帯電話機と同様な構成である携帯電話機であるとする。以下に、第１の実施形態と異なる点について詳細に説明する。【００７０】
本実施形態では、制御部１４は、選択されたキーに対応する領域にポインタを移動した後、移動先の領域の少なくとも一部を、数字キー１３２および記号キー１３３からなる文字入力キーのそれぞれのキーに対応して、複数の部位に区分けする。そして、これらの複数のキーのうちいずれかのキーが選択されると、選択されたキーに対応する部位にポインタを移動する。【００７１】
図６は本実施形態の携帯電話機の動作を説明するための図である。【００７２】
図６（ａ）に示すように、制御部１４がディスプレイ部１１を複数の領域１００に区分けした後、ユーザが数字「４」のキーを選択したとする。この場合、制御部１４は、数字「４」のキーに対応する領域１００をさらに１２個の部位１５０に区分けする。そして、図６（ｂ）に示すように、各部位１５０にキーを割り当てる。ユーザが１２個のキーのうちいずれかを選択すると、制御部１４は選択されたキーに対応する部位１５０にポインタを移動する。【００７３】
なお、図６（ａ）および図６（ｂ）に示す各領域および各部位の枠と枠内の文字は、実際には表示されない。【００７４】
第１の実施形態の携帯電話機は、画面全体を複数の領域に分け、それぞれ対応するキーを割当てることで各領域へのポインタ移動を素早く行うことを可能にしている。本実施形態の携帯電話機は、一度目のポインタの移動先の領域をさらに複数の部位に区分けして、それぞれの部位にキーを再度割り当てることにより、一度目の移動よりも短い距離の移動を可能としている。【００７５】
本実施形態の携帯電話機は、一度目のキー操作で長い距離をポインタに移動させ、二度目のキー操作で一度目よりも短い距離をポインタに移動させることが可能である。本実施形態では、２回のキー操作の場合しか説明しないが、図６（ｂ）に示した部位１５０を再度区分けして、１回のキー操作によるポインタの移動距離がさらに短くなるようにしてもよい。この場合、ユーザは、操作方法を変えなくてもポインタの移動距離を長い距離から短い距離にしていくことが可能となる。【００７６】
（第３の実施形態）
第１および第２の実施形態では、情報処理装置が携帯電話機の場合を説明したが、情報処理装置はディスクトップ型やノート型のＰＣであってもよい。ＰＣのディスプレイに料理の作り方のウェブページを表示させ、ユーザがそれを見ながら調理する場合、手を清潔に保つ必要があるので、マウスを操作できないことがある。このようなとき、ユーザは、筆記具を口に加えてキーを操作することで、ウェブページに設定されたハイパーリンクを動作させることが可能となる。本実施形態では、キーボードを有する情報処理装置の場合における他の実施形態を説明する。【００７７】
図７はキーボードのキーに対応して表示画面を区分けした場合の一例を示す図である。図７（ａ）はディスプレイ部７１を示し、図７（ｂ）はキーボードの一部を示す。【００７８】
キーボードは様々な文字を入力可能にするための機器であることから、図１に示した携帯電話機１０の文字入力キーに比べてキーの数が多い。そのため、キーボードに設けられた文字入力キーの全てを用いるのではなく、その一部を画面の区分けに当てはめてもよい。【００７９】
また、キーボードでは文字の入力のしやすさを考慮してキーが配置されているため、図７（ｂ）に示すように、キー５１が縦方向と横方向にきちんと整列して配置されていない場合もある。この場合、図７（ｂ）のキー部７２におけるキー配置に対して画面の区分けの仕方が図７（ａ）のディスプレイ部７１に示すように変形していてもよい。【００８０】
図７（ａ）に示す例では、ディスプレイ部７１が、１行目、３行目および４行目では横方向に９個の領域１００に区分けされているが、２行目では１０個の領域１００に区分けされている。【００８１】
本実施形態においても、キー操作による入力モードの切り替えをどのようにして行うかが問題となる。つまり、キー操作する際、ポインタ移動のための入力か、文字入力かをユーザが選択できるようにする必要がある。この対策として、第１の実施形態でも説明したように、入力モード切り替えのための操作を予め決めておく、または入力モード切り替え専用のキーを設けてもよい。【００８２】
また、専用キーと切り替え操作とを組み合わせてもよい。例えば、本実施形態の情報処理装置が、画面の区分けを指示するためのキーである画面割り当てキーを設けているものとする。この場合、特定のキーと画面割り当てキーの２つのキーを同時に押すコンビネーション入力、または、画面割り当てキーの長押しを行うことにより、文字入力キーがポインタ移動のための入力キーに切り替わるようにしてもよい。また、再度、それらの操作を行うことで、元の文字入力モードに戻るようにしてもよい。【００８３】
なお、第１から第３の実施形態では、画面全体を区分けしてそれぞれの領域または部位にキーを割り当てていたが、ポインタの移動先となる範囲に限定して画面を区分けし、区分けされたそれぞれにキーを割り当ててもよい。この場合、ハイパーリンクや文字入力欄の設定されていない範囲にはポインタが移動しなくなるので、ユーザが不要なポインタ移動を行うことが少なくなる。【００８４】
また、区分けされる領域または部位が単一のハイパーリンクまたは文字入力欄そのものであってもよい。この場合、領域または部位内でさらにポインタを移動させる必要がない。【００８５】
また、画像の描画制御を行う画面描画部１７を独立した構成として説明したが、画面描画部１７は制御部１４に含まれる構成でもよい。また、ＵＩ処理部１５は操作部１８に含まれる構成でもよい。キーと領域の対応情報は制御部１４内のプログラムメモリ１４２に格納されてもよい。【００８６】
さらに、ウェブページを表示する場合についての操作方法を説明したが、電話帳を画面に表示させ、電話帳に対して、上述の操作方法を実行してもよい。【００８７】
以上、実施形態を参照して本願発明を説明したが、本願発明は上記実施形態に限定されるものではない。本願発明の構成や詳細には、本願発明のスコープ内で当業者が理解し得る様々な変更をすることができる。【００８８】
この出願は、２００７年１２月２５日に出願された日本特許出願特願２００７−３３１７９９を基礎とする優先権を主張し、その開示の全てを盛り込む。
【図１】
2009081994.tif 000003
【図２】
2009081994.tif 000004
【図３Ａ】
2009081994.tif 000005
【図３Ｂ】
2009081994.tif 000006
【図４Ａ】
2009081994.tif 000007
【図４Ｂ】
2009081994.tif 000008
【図５】
2009081994.tif 000009
【図６】
2009081994.tif 000010
【図７】
2009081994.tif 000011
【図８】
2009081994.tif 000012
【国際調査報告】
2009081994.tif 000013
2009081994.tif 000014
2009081994.tif 000015
2009081994.tif 000016